(57)【要約】【課題】足の指先が内部まで充分に温められる前に、使用者が足が温かくなったと感じてしまうことや湯冷めの状態を引き起こしてしまうことを抑制して、効果的に冷えの症状を和らげることができ、さらには、次世代型冷え性の人であっても、自律神経の正常な作用が阻害されることなく、足を心地よく加温することができる足加温装置を提供する。【解決手段】少なくとも使用者の足の指先から足首までの足全体を覆うように形成されるとともに、上記足に対向する内部表面に沿って加温部材（３）が配設された足加温装置とした。この加温部材は、上記足に向けて放出する上記内部表面における単位面積当たりの放熱量が上記指先側からかかと側に向けて少なくなるように設けた。【選択図】  図３
2009006043.tif 000002
【特許請求の範囲】
【請求項１】
少なくとも使用者の足の指先から足首までの足全体を覆うように形成されるとともに、上記足に対向する内部表面に沿って加温部材が配設された足加温装置であって、
上記加温部材は、上記足に向けて放出する上記内部表面における単位面積当たりの放熱量が上記指先側からかかと側に向けて少なくなるように設けられていることを特徴とする足加温装置。
【請求項２】
上記加温部材としては、内部に温水が流通する放熱管が用いられており、この放熱管の表面を放熱可能なシート材によって覆うことにより上記内部表面が形成されていることを特徴とする請求項１に記載の足加温装置。
【請求項３】
使用者の両足から両脚の少なくとも膝下までを覆うように形成されて、上記両足を加温する足加温部と上記両脚を加温する脚加温部とを有し、かつ
上記放熱管は、上記両足から両脚の膝下までに向けて放出する上記内部表面における単位面積当たりの放熱量が上記足加温部から上記脚加温部の上部に向けて少なくなるように設けられていることを特徴とする請求項１又は２に記載の足加温装置。
【請求項４】
上記足加温部には、上記両足の指先に臨む先端部に開閉自在な細長状の開口が水平方向に向けて形成されるとともに、上記脚加温部には、開閉自在な細長状の開口が上下方向に向けて形成されていることを特徴とする請求項３に記載の足加温装置。
【発明の詳細な説明】
【技術分野】
【０００１】
本発明は、特に、冷え性の人の足を加温して、冷えの症状を柔らげることを目的とする足加温装置に関するものである。
【背景技術】
【０００２】
上記足加温装置としては、例えば、特許文献１に示すように可撓性を有するシート材等に電気ヒータを内蔵させたものが知られている。この足加温装置は、足に対向する表面に沿って電気ヒータが均一的に内蔵されており、使用者の足を均一的に加温することができる。
【０００３】
また、従来からこの足加温装置の他にも足を加温する装置として、例えば、特許文献２に示すように、内部に貯留された水を加熱する足浴槽を備えた足浴器が用いられている。この足浴器は、単に、足を均一的に加温させるのみでなく、屋外で利用する等の利用方法の工夫によって使用者が温泉地等に設置されている足湯のような心地良さを感じることができるため、使用者の正常な自律神経の作用を促すことができる。
【０００４】
ところが、人の体表面温度は、一般に腋の下で計測した平均体温が３６．５℃前後あるのに対して、この平均体温よりも足の指先が１０℃前後低く、特に、冷え性の人の足の指先は、体表面温度が１７℃〜１９℃ぐらいにまで低下して、血流量が一般的な人の１／１０までに低下してしまっている。
【０００５】
このため、特に、冷え性の使用者は、上述のように足加温装置や足浴器によって足を均一的に加温してしまうと、足の指先が内部まで充分に温められる前に、足の指先以外が先に加温されてしまうことによって足が温かくなったと感じて加温を止めてしまう結果、いっこうに冷えの感覚がなくならないこととなってしまう。さらに、足浴器の場合には、足を温水から出した後、しばらくすると、冷え性の人でなくてもいわゆる湯冷めの状態を引き起こして、冷えの感覚がなくならないどころか温水に浸す前よりも冷えてしまうこととなるため、冷えの症状を一段と悪化させてしまう恐れがある。
【０００６】
それだけでなく、冷え性の症状には、様々なタイプがあり、近年には、実際には体が冷えていないにも拘わらず、強く冷えを感じる次世代型冷え性が出現している。
この次世代型冷え性の人は、血管が拡張して、放熱してしまうことが原因で冷えを感じるため、上記足浴器を使用すると、ますます血管が拡張して体表面から外方に熱を過剰に放出してしまうことから上述の湯冷めの状態が著しくなり、より一層強い冷えを感じるようになってしまう。いわば、風邪で高熱を出した時に悪寒がしている状態になってしまう。
【０００７】
そもそも、この次世代型冷え性は、冷房による悪影響および家電製品、ＯＡ機器からの電磁波や静電気による悪影響によって、血管を収縮させて血圧を上げる交感神経と血管を拡張させて血圧を下げる副交感神経との優位性を切り換える自律神経が正常に作用しなくなってしまうことが原因で引き起こされてしまうものである。
この次世代型冷え性の人は、正常な体温であることから、原因不明で永年様々な症状に悩まされることが多く、その間に電気毛布等を使用することによりその症状を益々悪化させてしまうことがある。
【０００８】
従って、電気ヒータが内蔵された足加温装置も、上述のような次世代型冷え性の人が使用すると、電磁波等の悪影響によって自律神経の正常な作用を阻害する恐れがあるため、冷えの症状を悪化させてしまう恐れがある。このため、この足加温装置を次世代型冷え性の人が使用することは、逆効果であるといった問題があった。
【０００９】
【特許文献１】特開２０００−３３１７０１号公報
【特許文献２】特開２００６−１８１０３３号公報
【発明の開示】
【発明が解決しようとする課題】
【００１０】
本発明は、上述の事情を鑑みて、足の指先が内部まで充分に温められる前に、使用者が足が温かくなったと感じてしまうことや湯冷めの状態を引き起こしてしまうことを抑制して、効果的に冷えの症状を和らげることができ、さらには、次世代型冷え性の人であっても、自律神経の正常な作用が阻害されることなく、足を心地よく加温することができる足加温装置を提供することを目的とする。
【課題を解決するための手段】
【００１１】
すなわち、請求項１に記載の発明は、少なくとも使用者の足の指先から足首までの足全体を覆うように形成されるとともに、上記足に対向する内部表面に沿って加温部材が配設された足加温装置であって、上記加温部材は、上記足に向けて放出する上記内部表面における単位面積当たりの放熱量が上記指先側からかかと側に向けて少なくなるように設けられていることを特徴としている。
【００１２】
請求項２に記載の発明は、請求項１に記載の足加温装置において、上記加温部材としては、内部に温水が流通する放熱管が用いられており、この放熱管の表面を放熱可能なシート材によって覆うことにより上記内部表面が形成されていることを特徴としている。
【００１３】
請求項３に記載の発明は、請求項１又は２に記載の足加温装置において、使用者の両足から両脚の少なくとも膝下までを覆うように形成されて、上記両足を加温する足加温部と上記両脚を加温する脚加温部とを有し、かつ上記放熱管は、上記両足から両脚の膝下までに向けて放出する上記内部表面における単位面積当たりの放熱量が上記足加温部から上記脚加温部の上部に向けて少なくなるように設けられていることを特徴としている。
ここで、上記膝下とは、膝頭より下方であって、かつ足首よりも上方の部分を意味するものであり、上記使用者の両足から少なくとも両脚の膝下までを覆うとは、両足の指先から両脚の足首よりも上方の部分までを覆うことを意味するものである。
【００１４】
請求項４に記載の発明は、請求項３に記載の足加温装置において、上記足加温部には、上記両足の指先に臨む先端部に開閉自在な細長状の開口が水平方向に向けて形成されるとともに、上記脚加温部には、開閉自在な細長状の開口が上下方向に向けて形成されていることを特徴としている。
【発明の効果】
【００１５】
上述の請求項１ないし４のいずれか一項に記載の足加温装置によれば、加温部材を足の指先側からかかと側に向けて内部表面における単位面積当たりの放熱量が少なくなるように設けたため、最も温度が低い足の指先を重点的に加温させることができる。このため、足の指先が内部まで充分に加温される前に、かかと等のその他部分が加温されることにより、使用者が足が温かくなったと感じてしまうことを抑制することができる。その結果、足の指先を内部まで充分に加温することができることから指先の血流を著しく向上させて、この指先の血流の向上によって、全身の血流をも著しく向上させて、全身を加温させることができるため、効果的に冷え性の人の冷えの感覚を和らげることができる。
【００１６】
特に、請求項２に記載の足加温装置によれば、加温部材として温水が流通する放熱管を用いて、この表面をシート材で覆うことにより放熱管を内蔵させたため、電気ヒータが内蔵されている場合のように電磁波による悪影響が自律神経に作用して、体が冷えていないにも拘わらず、強く冷えを感じる次世代型冷え性の冷えの症状を益々悪化させてしまうことを防止できるとともに、直接、温水に足を浸した場合のように湯冷めによる冷却を防止することができる。さらには、放熱管に温水が流通する間接湿熱による加温を使用者が心地よく感ずるため、自律神経の正常な作用を促すことができる。
【００１７】
さらに、請求項３に記載の発明によれば、足加温部によって両足を加温するとともに、脚加温部によって両脚を加温して、冷えている両足から体温が高くなる両脚の膝下の上部に向けて放熱量を少なくして加温できることから、より短い時間で全身の血流を著しく向上させることができ、冷えの感覚を和らげる治療を効率的に行うことができる。
【００１８】
加えて、請求項４に記載の足加温装置によれば、使用者に応じて足加温部の先端部や脚加温部の開口を開閉させることによって、あらゆる人の症状に対応させて利用することができる。このため、例えば、使用者が次世代型冷え性の人の場合には、これらの開口を開くことによって心地よいと感じる程度に少し加温することにより、自律神経の正常な作用を促すことができる。その結果、この足加温装置を用いて、繰り返し治療をすることによって次世代型冷え性の人の放熱による冷えの解消を可能にすることができる。
【発明を実施するための最良の形態】
【００１９】
以下、本発明に係る足加温装置の一実施形態を、図１ないし図３を用いて説明する。
図１は、足加温装置の使用状態図であり、図２は、足加温装置の側面図であり、図３は、足加温装置の要部展開図である。
【００２０】
本実施形態における足加温装置は、使用者の両足から両脚までを覆うように形成されており、両足の甲から指先周りを経て足裏のかかとに至る使用者の足を覆って温める足加温部１と、この足加温部１の上部と一体に略角筒状に形成されて、両脚の甲およびかかとより上方ないし脚の膝下周りを覆って温める脚加温部２とによって概略構成されている。
【００２１】
この足加温部１は、足の形状にあわせて、足の指先側の先端部がかかと側の後端部よりも幅広に形成されて、平面視略台形状に形成されるとともに、先端部の両端の角が取られて、円弧状に形成されている。
そして、この足加温部１は、足が載置される底面部１０と、甲の上方を覆う天井面部１１と、この天井面部１１の外周と底面部１０の外周との間の足先側面部１２とが一体に形成されて、構成されている。
【００２２】
この底面部１０は、指先側の先端部の幅Ａが３０ｃｍ〜３８ｃｍに、かかと側の後端部の幅Ｂが２５ｃｍ〜３１ｃｍに、足の長さ方向である長手方向の大きさＣが３２ｃｍ〜３７ｃｍにそれぞれ形成されて、先端部が後端部よりも５〜１０ｃｍ幅広に形成されている。
また、天井面部１１は、足の長さ方向の大きさが１５〜２０ｃｍに形成されるとともに、先端部および後端部の幅が底面部１０と略同等の大きさに形成されて、底面部１０とともに足周りの空間にゆとりをもたせて、足加温部１内の空気の流動性を確保している。
足先側面部１２は、帯状に形成されるとともに、底面部１０および天井面部１１の先端部の形状に沿って湾曲して配設されて、底面部１０および天井面部１１に縫合されている。そして、この足先側面部１２における指先に臨む先端部には、高さ方向の中央部に開口が水平方向に形成され、この開口にファスナー１３が取り付けられている。
【００２３】
上記脚加温部２は、その下部の外周Ｄが９３ｃｍ〜１０５ｃｍであり、脚の脛側の前面部２０および脹ら脛側の背面部２１が下部から上部に向けてそれぞれ３〜８ｃｍ幅広になるように形成されるとともに、前面部２０と背面部２１との間の脚側面部２２も下部から上部に向けてそれぞれ幅広になるように形成されている。
これにより、脚加温部２は、上部の外周Ｅが９９ｃｍ〜１１５ｃｍに形成されて、下部の外周Ｄよりも６〜２２ｃｍ程大きく形成されることにより、使用者が凹脚の人であっても脚周りにゆとりをもたせて、内部の空気の流動性を確保している。
【００２４】
また、この脚側面部２２は、足先側面部１２のかかと側の後端部と一体に形成されており、使用者の右手側の脚側面部２２ａには、上端部から下端部までに至る細長直線状の開口が形成されるとともに、ファスナー２３がこの開口を上端部から開けるようにして取り付けられている。
【００２５】
そして、これらの足加温部１および脚加温部２は、それぞれ内部表面から外部表面に向けて、抗菌作用のあるナイロン製の銀色生地（放熱可能なシート材）、炭を織り込んだ保温作用のある保温布材、スポンジ等の弾性部材や外布等が貼り合わされて構成されるとともに、銀色生地と保温布材との間に温水の流通するホース（放熱管）３が配設されており、これによって、ホース３が内部表面に沿って内蔵されている。加えて、足加温部１における底面部１０には、上記保温布材と上記弾性部材との間に、内部表面側から外部表面側に向けて、マイナスイオンを発生させるマイナスイオン不織布と断熱アルミシート等の断熱材とが介装されている。
【００２６】
このホース３は、図１に示すように、内径φ５ｍｍ、外径φ８ｍｍの円筒状の合成ゴムによって構成されるとともに、上記温水の供給側が足加温部１における底面部１０の指先側の先端中央部から足の長さ方向である長手方向に直交して、幅方向の一端部に向けて配設されている。そして、この一端部において、かかと側の後端部に向けて１／２円弧状に湾曲して、この湾曲終端部から上記長手方向に直交して、幅方向の他端部に向けて配設されており、同様にして、幅方向の両端部の間を蛇行しつつ底面部１０の後端部に向けて互いに平行に配設されている。
【００２７】
さらに、このホース３は、底面部１０の後端部から脚加温部２の背面部２１、使用者の左手側の脚側面部２２ｂを通じ、前面部２０を経て、足加温部１の天井面部１１の先端部に配設されるとともに、この天井面部１１において幅方向の両端部の間を、底面部１０と同様に、足の長さ方向に直交するように配設されて、足首側の後端部に向けて蛇行しつつ３．５ｃｍ〜４ｃｍの間隔をあけて配設されている。その際、天井部１０の後端部において、先端部よりもホース３の間隔を大きくあけることにより、天井面部１０は、先端部の単位面積あたりの放熱量が後端部より大きくなっている。
【００２８】
さらにまた、このホース３は、天井面部１１の後端部から脚加温部２の前面部２０に配設されて、脚加温部２における背面部２１、左手側の脚側面部２２ｂ、前面部２０および右手側の脚側面部２２ａの全周面において水平に配設されるとともに、右手側の脚側面部２２ａの上記開口の近傍において各々上方に向けて１／２円弧状に湾曲して形成されている。これにより、ホース３は、脚加温部２の下部ないし中央部の全周面において、上方に向けて蛇行して５ｃｍの間隔をあけて互いに平行に配設されるとともに、脚加温部２の上部において７〜８ｃｍの間隔をあけて配設されており、この脚加温部２の上端部まで配設されたホース３が背面部２１において下方向けて垂直に配設されている。
【００２９】
そして、背面部２１の下端に配設された排出側のホース３は、その下流側が底面部１０において、上述の先端中央部から後端部に蛇行する供給側のホース３に沿って、幅方向の両端部の間を後端部から先端部に向けて蛇行して配設されている。また、底面部１０の先端部に配設された排出側のホース３は、先端中央部から外部へと配設されている。
これにより、底面部１０におけるホース３は、上述の供給側のホース３と排出側のホース３とによって、２ｃｍの間隔をあけて平行に配設されるとともに、先端部において後端部よりも幅方向の長さが大きくなるように配設されており、これによって、底面部１０は、先端部の単位面積あたりの放熱量が後端部よりも大きくなっている。
【００３０】
そして、この供給側のホース３には、供給ホース３１が接続されるとともに、排出側のホース３には、排出ホース３２が接続されており、本実施形態の足加温装置は、排出ホース３２から排出された温水を加熱して、供給ホース３１に４０℃〜８０℃の範囲内の特定温度の温水を連続供給する温水循環加熱装置３０を有している。
【００３１】
この温水循環加熱装置３０は、上述の供給ホース３１及び排出ホース３２を具備するとともに、上記温水の特定温度を設定する温度設定機能と、この特定温度の温水を供給ホース３１に連続供給する時間の長さを設定するタイマー機能とをそれぞれ有している。
【００３２】
他方、本実施形態の足加温装置は、脚加温部２における前面部２０ないし脚側面部２２の上部と一体に、膝頭及び膝上を覆うカバー部材４が形成されており、このカバー部材４は、ホース３を除いて脚加温部２と同様に、銀色生地、保温部材、弾性部材や外布等が貼り合わされて構成されている。
【００３３】
加えて、このカバー部材４は、膝上に載置される上部の幅方向の両端部が腿の裏まで延在するように拡張されており、この両端部にマジックテープ（登録商標）４０が取り付けられて、着脱自在に設けられている。このため、カバー部材４は、足加温部１及び脚加温部２の熱を当該カバー部材４に沿って上昇させることにより効果的に膝頭及び膝上を加温するようになっている。
【００３４】
上述の足加温装置によれば、ホース３を底面部１０の先端部が後端部よりも幅方向の長さが大きくなるように配設することにより、底面部１０の先端部の単位面積当たりの放熱量を後端部よりも大きくしたため、両足の指先を重点的に加温して、血流を著しく向上させることができる。加えて、ホース３を足加温部１の底面部１０や天井面部１１において脚加温部２よりも狭い間隔で蛇行させて配設することにより、放熱量を脚加温部２より大きくしたため、脚よりも足を重点的に加温することができる。このため、両足の指先や両足が内部まで充分に加温される前に、脚等のその他部分が加温されてしまうことにより、温かくなったと感じてしまうことを抑制して、両脚の指先等を内部まで充分に加温させることができるとともに、上述のように血流も向上させて、冷え性の人の冷えの感覚を和らげることができる。
【００３５】
さらには、ホース３に温水を流通させる間接湿熱によって加温させているため、電気ヒータが内蔵されている場合のように電磁波による悪影響が自律神経に作用してしまうことにより、体が冷えていないにも拘わらず、強く冷えを感じる次世代型冷え性の冷えの症状を益々悪化させてしまうことを防止できるとともに、直接、温水に足を浸した場合のような湯冷めによる冷却を防止することができる。その上、間接湿熱による心地よい加温によって、自律神経の正常な作用を促すことができる。
【００３６】
加えて、足先側面部１２および脚側面部２２にファスナー１３、２３を取り付けたため、使用者に応じて足先側面部１２や脚側面部２２を開閉させることによって、あらゆる人の症状に対応させて利用することができる。このため、例えば、次世代型冷え性の人の場合には、ファスナー１３、２３によって先端部や脚側面部２２を開口させて心地よいと感じる程度に少し加温してやることにより、自律神経の正常な作用を促すことができる。その結果、上述の足加温装置を用いて、繰り返し治療をすることによって次世代型冷え性の人の放熱による冷えの解消を可能にすることができる。
【００３７】
また、カバー部材４を、脚加温部２における前面部２０ないし脚側面部２２の上部と一体に形成して、脚加温部２の背面部２１から連続的に腿の裏に形成しなかったため、使用者が足の自由度を奪われることによる不快感を感じることなく利用することができる。加えて、このカバー部材４の幅方向の両端部にマジックテープ４０を設けたため、使用者に応じてマジックテープ４０を着脱することにより冷えの症状に応じて適切な治療を施すことができる。
【００３８】
なお、本発明の足加温装置は、上述の実施の形態に限られない。例えば、片足を覆うように形成されていてもよく、右足に対応する装置と左足に対応する装置との２台が一組になって設けられていてもよいものである。また、温水が流通するホース３に代えて、電気ヒータや遠赤外線ヒータ等の加温部材を用いてもよいものである。
【実施例】
【００３９】
［実施例］
まず、施術前の体表面温度を、サーモグラフィーによって計測し、その写真を図４に示した。
次いで、被検者が座った状態で上述の足加温装置を用いて、ファスナー１３、２４を閉め、マジックテープ４０を付けた状態で、温水の温度を４０℃に設定して、３０分間施術した直後に、再度、サーモグラフィーによって体表面温度を測定した。その際の写真を図５に示した。
また、施術１５分後および３０分後にもそれぞれサーモグラフィーで体表面温度を測定して、図６と図７とに示した。
【００４０】
図５から判るように、施術後、脚のみならず、全身の体表面温度が４〜１０℃程上昇している。その上、図６および図７に示すように、１５分経過しても殆ど脚を含めて全身の体表面温度が低下せず、３０分経過してもあまり低下していないことが判った。
【００４１】
［比較例１］
次に、施術前の体表面温度を、サーモグラフィーによって計測し、図８に示した。
次いで、ポリバケツ（登録商標）に４０℃の温水を入れて、この温水に被検者が座った状態で足を入れて、脚の膝下までを浸した状態で１５分加温した直後に、サーモグラフィーで体表面温度を測定した。その際の写真を図９に示した。
また、施術１５分後にもサーモグラフィーで体表面温度を測定して、図１０に示した。
【００４２】
［比較例２］
次に、再度、施術前の体表面温度を、サーモグラフィーによって計測し、図１１に示した。
次いで、脚の膝下全体に均一的に遠赤外線を照射する円筒状の温熱器（ジャルカ、株式会社高千穂産業製）に、足を入れて、脚の膝下全体を１５分加温した直後に、サーモグラフィーで体表面温度を測定した。その際の写真を図１２に示した。また、施術１５分後にもサーモグラフィーで体表面温度を測定して、図１３に示した。
【００４３】
図８及び図１１から判るように、温水を用いた比較例１の場合や遠赤外線の温熱器を用いた比較例２の場合にも施術後に膝下のみならず、全身の体表面温度も上昇した。
しかしながら、比較例１及び比較例２の場合には、足加温装置を用いた実施例の場合の温度上昇と比較すると、全身の温度上昇効果が小さいことが判った。加えて、施術１５分経過後には、足も含めて全身の体表面温度が低下し、特に、温水を用いた比較例１の場合には、図１０に示すように、湯冷めによる温度効果が著しいことが判った。
【００４４】
以上のように、足加温装置を用いて加温した実施例の場合には、指先を重点的に加温して、血の循環を著しく向上させるとともに、チューブに循環する温水の間接湿熱によって加温させたため、湯冷め等を防止して、効果的に全身の体表面温度を上昇させることができることが判った。加えて、時間が経過による体表面温度の低下も防止することができ、効果的に冷え性の人の冷えの感覚を和らげることが判った。
【図面の簡単な説明】
【００４５】
【図１】足加温装置の使用状態図である。
【図２】足加温装置の側面図である。
【図３】足加温装置の要部展開図である。
【図４】施術前の被検者をサーモグラフィーで撮影して、体表面温度を示した写真である。
【図５】施術直後の被検者をサーモグラフィーで撮影して、体表面温度を示した写真である。
【図６】施術１５分後の被検者をサーモグラフィーで撮影して、体表面温度を示した写真である。
【図７】施術３０分後の被検者をサーモグラフィーで撮影して、体表面温度を示した写真である。
【図８】施術前の被検者をサーモグラフィーで撮影して、体表面温度を示した写真である。
【図９】比較例１における温水での施術直後の被検者をサーモグラフィーで撮影して、体表面温度を示した写真である。
【図１０】比較例１における温水での施術１５分後の被検者をサーモグラフィーで撮影して、体表面温度を示した写真である。
【図１１】施術前の被検者をサーモグラフィーで撮影して、体表面温度を示した写真である。
【図１２】比較例２における遠赤外線での施術直後の被検者をサーモグラフィーで撮影して、体表面温度を示した写真である。
【図１３】比較例２における遠赤外線での施術１５分後の被検者をサーモグラフィーで撮影して、体表面温度を示した写真である。
【符号の説明】
【００４６】
３  ホース（加温部材、放熱管）
【図１】
2009006043.tif 000003
【図２】
2009006043.tif 000004
【図３】
2009006043.tif 000005
【図４】
2009006043.tif 000006
【図５】
2009006043.tif 000007
【図６】
2009006043.tif 000008
【図７】
2009006043.tif 000009
【図８】
2009006043.tif 000010
【図９】
2009006043.tif 000011
【図１０】
2009006043.tif 000012
【図１１】
2009006043.tif 000013
【図１２】
2009006043.tif 000014
【図１３】
2009006043.tif 000015